(57)【要約】      （修正有）【課題】作業者の手および手首の動きを阻害することのないグローブボックス用のゴム手袋を提供する。【解決手段】五指部１１を含む手本体部１０と、手首部２０と、腕部３０とを一体的に備え、腕部３０の基端開口部３０ａをグローブボックスの作業開口部に気密に取付けるグローブボックス用のゴム手袋であり、手本体部１０と手首部２０を、作業者の手および手首の動きを容易なものとすべく、腕部３０よりも肉薄の薄ゴム材で形成した薄肉部Ｓとする。また、腕部３０の基端開口部３０ａに、グローブボックスの作業開口部に強固に取付けるための補強縁３０ｂを設ける。【選択図】図１
0003200469.tif 000002
【実用新案登録請求の範囲】
【請求項１】
親指部（１１ａ），人差し指部（１１ｂ），中指部（１１ｃ），薬指部（１１ｄ）および小指部（１１ｅ）からなる五指部（１１）を含む手本体部（１０）と，手首部（２０）と，腕部（３０）とを一体的に備え，前記腕部の基端開口部（３０ａ）をグローブボックス（２）の作業開口部（２ａ）に気密に取付けるグローブボックス用のゴム手袋であって、前記手本体部と手首部を，作業者の手および手首の動きを容易なものとすべく，前記腕部よりも肉薄の薄ゴム材で形成した薄肉部（Ｓ）とすると共に，残部である前記腕部を厚肉部（Ｗ）とし、前記腕部の基端開口部に，前記グローブボックスの作業開口部に強固に取付けるための補強縁（３０ｂ）を設けたことを特徴とするグローブボックス用ゴム手袋。
【請求項２】
親指部（１１ａ），人差し指部（１１ｂ），中指部（１１ｃ），薬指部（１１ｄ）および小指部（１１ｅ）からなる五指部（１１）を含む手本体部（１０）と，手首部（２０）と，腕部（３０）とを一体的に備え，前記腕部の基端開口部（３０ａ）をグローブボックス（２）の作業開口部（２ａ）に気密に取付けるグローブボックス用のゴム手袋であって、前記手本体部と手首部を，作業者の手および手首の動きを容易なものとすべく，前記腕部よりも肉薄の薄ゴム材で形成した薄肉部（Ｓ）とすると共に，残部である前記腕部を厚肉部（Ｗ）とし、前記腕部の基端開口部に，前記グローブボックスの作業開口部に強固に取付けるための補強縁（３０ｂ）を設け、前記厚肉部と薄肉部との間に，前記厚肉部の肉厚から前記薄肉部の肉厚へ徐々に滑らかに変化する傾斜状の肉厚を有する徐変部（４０）を設けたことを特徴とするグローブボックス用ゴム手袋。
【考案の詳細な説明】
【技術分野】
【０００１】
本考案は、グローブボックスの作業開口部に気密に取り付けられる長尺状のゴム手袋に関するものである。
【背景技術】
【０００２】
危険物質などを取扱うための装置としてグローブボックスが広く使用されている。このグローブボックスは、外気と遮断された空間で作業を行うことができるように設計された密閉容器であり、その壁面に二つの作業開口部が形成されている。この作業開口部には長尺状のゴム手袋が気密状態で取り付けられており、作業者がこのゴム手袋を装着した手を使って、グローブボックス内で例えば放射性物質や細菌類などの処理作業を行う。
【０００３】
こうしたグローブボックス用の長尺状ゴム手袋は、通常、手本体部と手首部と腕部とが一体的に形成されている（例えば、特許文献１参照）。
【先行技術文献】
【特許文献】
【０００４】
【特許文献１】特開２０１３−１７０３１８号公報
【考案の概要】
【考案が解決しようとする課題】
【０００５】
しかし、従来のグローブボックス用のゴム手袋は、成形の容易性などから手本体部、手首部および腕部の全てを均一で、かつ比較的肉厚なゴム材（０．６ｍｍ前後）で形成している。なお、作業者はその手を手本体部に装着し、手首を手首部に装着し、そして腕を腕部に装着する。
【０００６】
この０．６ｍｍ前後の肉厚は、腕部に装着される作業者の腕の動きに対してはあまり大きな弊害とはならない。作業者の腕には、通常、細かな動きが要求されないからである。しかし、この肉厚は、手本体部に装着され、例えば、ピンセットやスポイドを操作するなどの細かな作業が必要とされる作業者の手の動きに対しては、当該動きに対する抵抗が大きいために大きな弊害となってしまう。また、手首部に装着され、作業者の細かな手の動きに対応して、それを微妙な動きで支える作業者の手首に対しても、同様の理由で大きな弊害となってしまう。
【０００７】
本考案はこうした問題に鑑み創案されたもので、作業者の手および手首の動きを阻害することのないグローブボックス用のゴム手袋を提供することを主な課題とする。
【課題を解決するための手段】
【０００８】
図１乃至図６を参照して説明する。請求項１に記載のグローブボックス用ゴム手袋１は、親指部１１ａ、人差し指部１１ｂ、中指部１１ｃ、薬指部１１ｄおよび小指部１１ｅからなる五指部１１を含む手本体部１０と、手首部２０と、腕部３０とを一体的に備え、前記腕部３０の基端開口部３０ａをグローブボックス２の作業開口部２ａに気密に取付けるものであり、前記手本体部１０と手首部２０を、作業者の手および手首の動きを容易なものとすべく、前記腕部３０よりも肉薄の薄ゴム材で形成した薄肉部Ｓとした。
【０００９】
また、残部である前記腕部３０を前記薄肉部Ｓよりも肉厚の厚肉部Ｗとした。
さらに、前記腕部３０の基端開口部３０ａに、前記グローブボックス２の作業開口部２ａに強固に取付けるための補強縁３０ｂを設けた。
【００１０】
請求項２に記載のグローブボックス用ゴム手袋１は、親指部１１ａ、人差し指部１１ｂ、中指部１１ｃ、薬指部１１ｄおよび小指部１１ｅからなる五指部１１を含む手本体部１０と、手首部２０と、腕部３０とを一体的に備え、前記腕部３０の基端開口部３０ａをグローブボックス２の作業開口部２ａに気密に取付けるものであり、前記手本体部１０と手首部２０を、作業者の手および手首の動きを容易なものとすべく、前記腕部３０よりも肉薄の薄ゴム材で形成した薄肉部Ｓとした。また、残部である前記腕部３０を厚肉部Ｗとした。
【００１１】
さらに、前記腕部３０の基端開口部３０ａに、前記グローブボックス２の作業開口部２ａに強固に取付けるための補強縁３０ｂを設けた。
【００１２】
また、前記厚肉部Ｗと薄肉部Ｓとの間に、前記厚肉部Ｗの肉厚から前記薄肉部Ｓの肉厚へ徐々に滑らかに変化する傾斜状の肉厚を有する徐変部４０を設けた。
【考案の効果】
【００１３】
請求項１に記載のグローブボックス用ゴム手袋１は、手本体部１０と手首部２０を、腕部３０よりも肉薄の薄ゴム材で形成した薄肉部Ｓとしたので、当該手本体部１０および手首部２０に装着される作業者の手および手首の動きに対する抵抗を小さくすることができる。これにより、作業者は、手および手首の動きを当該ゴム手袋１によって阻害されることなく自由に動かすことができる。
【００１４】
また、残部である腕部３０を薄肉部Ｓよりも肉厚の厚肉部Ｗとしたので、当該腕部３０に必要な強度を保つことができる。
【００１５】
さらに、腕部３０の基端開口部３０ａに補強縁３０ｂを設けたので、当該基端開口部３０ａをグローブボックス２の作業開口部２ａに強固に取付けることができる。
【００１６】
請求項２に記載のグローブボックス用ゴム手袋１は、請求項１に記載の考案と同様に、手本体部１０と手首部２０を腕部３０よりも肉薄の薄ゴム材で形成した薄肉部Ｓとしたので、当該手本体部１０および手首部２０に装着される作業者の手および手首の動きに対する抵抗を小さくすることができる。従って、作業者は、手および手首の動きを当該ゴム手袋１によって阻害されることなく自由に動かすことができる。
【００１７】
また、残部である腕部３０を薄肉部Ｓよりも肉厚の厚肉部Ｗとしたので、当該腕部３０に必要な強度を保つことができる。さらに、腕部３０の基端開口部３０ａに補強縁３０ｂを設けたので、当該基端開口部３０ａをグローブボックス２の作業開口部２ａに強固に取付けることができる。
【００１８】
またさらに、厚肉部Ｗと薄肉部Ｓとの間に、当該厚肉部Ｗの肉厚から薄肉部Ｓの肉厚へ徐々に滑らかに変化する傾斜状の肉厚を有する徐変部４０を設けたので、厚肉部Ｗと薄肉部Ｓとの境界部分に段差が形成されない。これにより、ゴム手袋１を使用している際に応力が段差に集中して、その段差部分が破れ易くなるといった事態を未然に防止することができる。また、段差が形成されいので肌触りが良いと共に、外観の見栄えにも優れる
【図面の簡単な説明】
【００１９】
【図１】本考案に係るグローブボックス用ゴム手袋の実施形態を示す正面図である。
【図２】図１のＡ−Ａ線断面図である。
【図３】図１のＢ−Ｂ線断面図である。
【図４】図１のＣ−Ｃ線断面図である。
【図５】図１のＤ−Ｄ線断面図である。
【図６】本考案に係るゴム手袋をグローブボックスに取付けた状態を示す斜視図である。
【考案を実施するための形態】
【００２０】
本考案に係るグローブボックス用ゴム手袋１の実施形態を、図１乃至図６に示す。このゴム手袋１は、手本体部１０、手首部２０、腕部３０および徐変部４０を備え、全長が８００ｍｍの長尺状である。当該ゴム手袋１の材質は限定されるものではないが、クロロプレンやクロロスルホン化ポリエチレンが好適である。
【００２１】
手本体部１０は、作業者の手の全体が装着されるもので親指部１１ａ、人差し指部１１ｂ、中指部１１ｃ、薬指部１１ｄおよび小指部１１ｅからなる五指部１１を含む。
【００２２】
手首部２０は作業者の手首が装着される。
腕部３０は上腕部３１と前腕部３２とを備え、作業者の腕全体（上腕と前腕）が装着される。当該腕部３０は基端開口部３０ａを備えており、当該基端開口部３０ａはグローブボックス２に形成された作業開口部２ａに気密に取付けられる。この腕部３０の基端開口部３０ａには、当該腕部３０よりも肉厚な補強縁３０ｂを形成している。この補強縁３０ｂの形成手段は限定されないが、本実施形態では腕部３０の基端を折り返して形成している。
【００２３】
本実施形態に係るゴム手袋１は、手本体部１０を腕部３０よりも肉薄の薄ゴム材で形成した薄肉部Ｓとしている。この薄肉部Ｓの肉厚は限定されるものではないが、手本体部１０に装着される作業者の手の動きを阻害せず、かつ、当該手本体部１０に必要な強度を付与することを考慮して０．３ｍｍに設定している。なお、材質によっては０．３ｍｍ未満（例えば、０．２ｍｍ）に設定することもできる。
【００２４】
また、手本体部１０と同様に、手首部２０を腕部３０よりも肉薄の薄ゴム材で形成した薄肉部Ｓとしている。この薄肉部Ｓの肉厚は手首部２０に装着される作業者の手首の動きを阻害せず、かつ、当該手首部２０に必要な強度を付与すべく、手本体部１０と同じく０．３ｍｍに設定している。
【００２５】
なお、手本体部１０および手首部２０を薄肉部Ｓとしたことにより、残部である腕部３０は薄肉部Ｓよりも肉厚な厚肉部Ｗによって形成される。厚肉部Ｗの肉厚は特に限定されないが、腕部３０の自由な動きを確保すると共に充分な強度を維持すべく０．６ｍｍに設定している。
【００２６】
徐変部４０は、厚肉部Ｗと薄肉部Ｓとの間に設けられ、厚肉部Ｗの肉厚から薄肉部Ｓの肉厚へ徐々に滑らかに変化する断面傾斜状の肉厚を有する。断面傾斜状の肉厚は、おもて面４１と裏面４２の双方が傾斜するものであっても良いし（図５（ａ）参照）、また、おもて面４１のみ（同（ｂ））あるいは裏面４２のみ（同（ｃ））が傾斜するものであっても良い。
【００２７】
こうした形態の徐変部４０を設けたことにより、厚肉部Ｗと薄肉部Ｓとの境界部分に段差が形成されるのを防止することができる。これにより、ゴム手袋１を使用する際に生じる応力が段差に集中してその段差部分が破損し易くなるといった事態を未然に防止することができる。また、段差が存在しないのでいわゆるゴツゴツ感がなく肌触りが良い。
【００２８】
本実施形態に係るグローブボックス用ゴム手袋１は、以下の効果を発揮する。
（イ）手本体部１０を腕部３０よりも肉薄の薄ゴム材で形成した薄肉部Ｓとしたので、当該手本体部１０に装着される作業者の手の動きに対する抵抗を小さくすることができる。従って、作業者は手本体部１０に装着した手を自由に動かすことができる。
【００２９】
（ロ）手本体部１０に加えて手首部２０を腕部３０よりも肉薄の薄ゴム材で形成した薄肉部Ｓとしたので、当該手首部２０に装着される作業者の手首の動きに対する抵抗も小さくすることができる。従って、作業者は手首部２０に装着した手首を自由に動かすことができる。
【００３０】
（ハ）腕部３０を厚肉部Ｗとしたので、作業者の腕の動きを阻害しない範囲で当該腕部３０に必要な強度を付与することができる。
【００３１】
（ニ）腕部３０の基端開口部３０ａに当該腕部３０よりも肉厚な補強縁３０ｂを設けたので、当該基端開口部３０ａをグローブボックス２の作業開口部２ａに強固に取付けることができる。
【００３２】
（ホ）徐変部４０を設けたので、厚肉部Ｗと薄肉部Ｓとの境界部分に段差が形成されるといった事態を未然に防止することができる。これにより、応力が段差部分に集中してその部分が破損し易くなるといった事態を未然に防止することができる。
【００３３】
（へ）徐変部４０を設けたことにより段差が生じないので肌触りが良いと共に、外観の見栄えにも優れる。
【産業上の利用可能性】
【００３４】
本考案に係るゴム手袋１は、グローブボックス用のみでなく、他の長尺状の手袋にも適用することが可能である。
【符号の説明】
【００３５】
１          グローブボックス用ゴム手袋
２          グローブボックス
２ａ        作業開口部
１０        手本体部
１１        五指部
１１ａ      親指部
１１ｂ      人差し指部
１１ｃ      中指部
１１ｄ      薬指部
１１ｅ      小指部
２０        手首部
３０        腕部
３０ａ      基端開口部
３０ｂ      補強縁
３１        上腕部
３２        前腕部
４０        徐変部
４１        おもて面
４２        裏面
Ｓ          薄肉部
Ｗ          厚肉部
【図１】
0003200469.tif 000003
【図２】
0003200469.tif 000004
【図３】
0003200469.tif 000005
【図４】
0003200469.tif 000006
【図５】
0003200469.tif 000007
【図６】
0003200469.tif 000008